(57)【要約】【課題】印刷用用紙へのインクの過剰な転移による裏抜け、裏移り、インクの再転移などの印刷物の汚れを抑制し、印刷物の画質を低下させることなく、良好な印刷物を取得する。【解決手段】画像データの入力を受け付けるとともに、予め設定された画像データ上の特定範囲の情報を受け付け、その受け付けた画像データをその画像データの属性に基づいて複数の領域に分割し、その分割した領域の中から特定範囲と重なる範囲を含む分割領域を取得し、その取得した分割領域単位でその分割領域内の画像データに対し、濃度が低くなるような濃度変換処理を施して処理済画像データを生成する。【選択図】図４
2011035694.tif 000002
【特許請求の範囲】
【請求項１】
画像データの入力を受け付けるとともに、予め設定された前記画像データ上の特定範囲の情報を受け付け、
前記受け付けた画像データを該画像データの属性に基づいて複数の領域に分割し、
該分割した領域の中から前記特定範囲と重なる範囲を含む分割領域を取得し、
該取得した分割領域単位で該分割領域内の画像データに対し、濃度が低くなるような濃度変換処理を施して処理済画像データを生成することを特徴とする画像データ生成方法。
【請求項２】
前記画像データが、記録媒体の一方の面に第１の画像を記録し、該第１の画像が記録された片面記録済記録媒体を所定の搬送機構によって搬送した後、前記記録媒体の他方の面に第２の画像を記録する際に用いられる前記第１の画像を表す画像データであり、
前記特定範囲の情報が、前記搬送機構と前記記録媒体とが接触する範囲に対応する前記画像データ上の範囲を示す情報であることを特徴とする請求項１記載の画像データ生成方法。
【請求項３】
画像データの入力を受け付ける画像データ受付部と、
予め設定された前記画像データ上の特定範囲の情報を受け付ける特定範囲情報受付部と、
前記画像データ受付部により受け付けられた画像データを該画像データの属性に基づいて複数の領域に分割する領域分割部と、
該領域分割部により分割された領域の中から前記特定範囲と重なる範囲を含む分割領域を取得する特定分割領域取得部と、
該特定分割領域取得部により取得された分割領域単位で該分割領域内の画像データに対し、濃度が低くなるような濃度変換処理を施して処理済画像データを生成する濃度変換処理部を備えたことを特徴とする画像データ生成装置。
【請求項４】
前記画像データ受付部が、記録媒体の一方の面に第１の画像を記録し、該第１の画像が記録された片面記録済記録媒体を所定の搬送機構によって搬送した後、前記記録媒体の他方の面に第２の画像を記録する際に用いられる前記第１の画像を表す画像データを前記画像データとして受け付けるものであり、
前記特定範囲情報受付部が、前記搬送機構と前記記録媒体とが接触する範囲に対応する前記画像データ上の範囲を示す情報を前記特定範囲の情報として受け付けるものであることを特徴とする請求項３記載の画像データ生成装置。
【請求項５】
前記画像データ受付部が、コンピュータから出力された前記画像データを受け付けるものであり、
前記領域分割部が、前記コンピュータによって前記画像データに付加されたオブジェクト属性情報に基づいて前記画像データを複数の領域に分割するものであることを特徴とする請求項３または４記載の画像データ生成装置。
【請求項６】
前記画像データ受付部が、原稿画像を読み取って前記原稿画像を表す画像データを出力する画像読取部から出力された前記画像データを受け付けるものであり、
前記領域分割部が、前記画像データ受付部よって受け付けられた画像データに基づいて、該画像データの属性を認識し、該認識した属性に基づいて前記画像データを複数の領域に分割するものであること特徴とする請求項３または４記載の画像データ生成装置。
【請求項７】
請求項４記載の画像データ生成装置と、
該画像データ生成装置において生成された処理済画像データに基づいて、前記記録媒体の一方の面に前記第１の画像を記録する印刷部と、
該印刷部によって前記第１の画像が記録された片面記録済記録媒体を搬送する搬送機構とを備えたことを特徴とする印刷装置。
【発明の詳細な説明】
【技術分野】
【０００１】
本発明は、画像データの入力を受け付け、画像データに対して濃度変換処理を施す画像データ生成方法および装置並びに印刷装置に関するものである。
【背景技術】
【０００２】
従来、スキャナなどにより原稿を読み取った画像データやコンピュータにおいて作成、編集された画像データに基づいてサーマルヘッドなどを駆動し、孔版原紙を溶融穿孔することにより製版処理を施して版を作成し、この作成された版を印刷ドラムに巻着して印刷ドラムの内側よりインクを供給し、ローラなどによりインキを印刷用紙に転移することにより印刷を行う孔版印刷装置が種々提案されている。
【０００３】
ここで、上記のような孔版印刷装置においては、たとえば、インクが印刷用紙に過剰に転移することにより、いわゆる裏抜け、裏移り、インクの再転移などによる印刷物の汚れの問題が発生する。特に、両面印刷を行う孔版印刷装置においては、一版目のインクが十分に乾く前に二版目が印刷されるため、たとえば、一版目の印刷を行う印刷ドラムと二版目の印刷を行う印刷ドラムとを備えた孔版印刷装置の場合、一版目の印刷を行う印刷ドラムと二版目の印刷を行う印刷ドラムとの間の給紙経路上にある搬送ローラなどからのインクの再転移が発生しやすい。
【０００４】
このような問題を解決する方法として、たとえば、孔版原紙の穿孔径を小さくしたり（たとえば、特許文献１参照）、印刷ドラムに対するプレス圧を弱めたり（たとえば、特許文献２参照）、印刷面全体の画像データの濃度を薄くしたりする（たとえば、特許文献３参照）ことによって印刷画像全体を薄くする方法が提案されている。
【先行技術文献】
【特許文献】
【０００５】
【特許文献１】特開２００５−１４４８９７号公報
【特許文献２】特開２００４−２８４２７１号公報
【特許文献３】特開２００４−３０６４２２号公報
【発明の概要】
【発明が解決しようとする課題】
【０００６】
しかしながら、上記のように印刷画像全体の濃度を薄くした場合、コントラストの低い画質となってしまい印刷物の仕上がりの品質が低下するという問題がある。
【０００７】
また、上述したようにインクの再転移は、一版目が印刷された印刷物の印刷面と搬送ローラとが接触し、印刷面から搬送ローラへインクが転移することによって生じることから、搬送ローラと印刷用紙が接触する範囲だけ濃度を低くする方法も考えられるが、このような方法を採用したのでは、上記範囲の濃度とそれ以外の範囲の濃度とに濃度差が生じてしまい印刷画像の画質の劣化を生じてしまう。
【０００８】
本発明は、上記事情に鑑み、印刷物の画質を低下させることなく、良好な印刷物を取得することができる画像データ生成方法および装置並びに印刷装置を提供することを目的とするものである。
【課題を解決するための手段】
【０００９】
本発明の画像データ生成方法は、画像データの入力を受け付けるとともに、予め設定された画像データ上の特定範囲の情報を受け付け、その受け付けた画像データをその画像データの属性に基づいて複数の領域に分割し、その分割した領域の中から特定範囲と重なる範囲を含む分割領域を取得し、その取得した分割領域単位でその分割領域内の画像データに対し、濃度が低くなるような濃度変換処理を施して処理済画像データを生成することを特徴とする。
【００１０】
また、上記本発明の画像データ生成方法においては、画像データを、記録媒体の一方の面に第１の画像を記録し、その第１の画像が記録された片面記録済記録媒体を所定の搬送機構によって搬送した後、記録媒体の他方の面に第２の画像を記録する際に用いられる第１の画像を表す画像データとし、特定範囲の情報を、搬送機構と記録媒体とが接触する範囲に対応する画像データ上の範囲を示す情報とすることができる。
【００１１】
本発明の画像データ生成装置は、画像データの入力を受け付ける画像データ受付部と、予め設定された画像データ上の特定範囲の情報を受け付ける特定範囲情報受付部と、画像データ受付部により受け付けられた画像データをその画像データの属性に基づいて複数の領域に分割する領域分割部と、領域分割部により分割された領域の中から特定範囲と重なる範囲を含む分割領域を取得する特定分割領域取得部と、特定分割領域取得部により取得された分割領域単位でその分割領域内の画像データに対し、濃度が低くなるような濃度変換処理を施して処理済画像データを生成する濃度変換処理部を備えたことを特徴とする。
【００１２】
また、上記本発明の画像データ生成装置においては、画像データ受付部を、記録媒体の一方の面に第１の画像を記録し、その第１の画像が記録された片面記録済記録媒体を所定の搬送機構によって搬送した後、記録媒体の他方の面に第２の画像を記録する際に用いられる第１の画像を表す画像データを画像データとして受け付けるものとし、特定範囲情報受付部を、搬送機構と記録媒体とが接触する範囲に対応する画像データ上の範囲を示す情報を特定範囲の情報として受け付けるものとすることができる。
【００１３】
また、画像データ受付部を、コンピュータから出力された画像データを受け付けるものとし、領域分割部を、コンピュータによって画像データに付加されたオブジェクト属性情報に基づいて画像データを複数の領域に分割するものとすることができる。
【００１４】
また、画像データ受付部を、原稿画像を読み取って原稿画像を表す画像データを出力する画像読取部から出力された画像データを受け付けるものとし、領域分割部を、画像データ受付部よって受け付けられた画像データに基づいて、その画像データの属性を認識し、その認識した属性に基づいて画像データを複数の領域に分割するものとすることができる。
【００１５】
本発明の印刷装置は、上記画像データ生成装置と、画像データ生成装置において生成された処理済画像データに基づいて、記録媒体の一方の面に第１の画像を記録する印刷部と、印刷部によって第１の画像が記録された片面記録済記録媒体を搬送する搬送機構とを備えたことを特徴とする。
【発明の効果】
【００１６】
本発明の画像データ生成方法および装置並びに印刷装置によれば、画像データの入力を受け付けるとともに、予め設定された画像データ上の特定範囲の情報を受け付け、その受け付けた画像データをその画像データの属性に基づいて複数の領域に分割し、その分割した領域の中から特定範囲と重なる範囲を含む分割領域を取得し、その取得した分割領域単位でその分割領域内の画像データに対し、濃度が低くなるような濃度変換処理を施して処理済画像データを生成するようにしたので、たとえば、特定範囲の情報を、搬送機構と記録媒体とが接触する範囲に対応する画像データ上の範囲を示す情報とすれば、搬送機構へのインクの転移を低減させることができるので、搬送機構から印刷用紙へのインクの再転移を抑制することができるとともに、分割領域単位で濃度を低くするので印刷画像全体の濃度が低くなるのを回避することができ、画質の低下を最小限にすることができる。
【００１７】
また、画像データの属性に基づいて分割された分割領域単位で濃度変換処理を施すので、写真領域や文字領域などの各領域全体に濃度変換処理を施すことができ、濃度境界がない自然な画質の印刷物を得ることができる。
【図面の簡単な説明】
【００１８】
【図１】本発明の画像データ生成装置の一実施形態を用いた孔版印刷装置の全体概略構成図
【図２】片面印刷済印刷用紙Ｐ２とピックアップローラおよびタイミングローラとが接触範囲ＳＲを示す図
【図３】本発明の画像データ生成装置の一実施形態を用いた孔版印刷装置の画像データ生成部の構成を示すブロック図
【図４】本発明の画像データ生成装置の一実施形態を用いた孔版印刷装置の作用を説明するためのフローチャート
【図５】画像データＧ１、特定範囲ＴＲ、および分割領域Ｐ１，Ｐ２，Ｌ１，Ｌ２の一例を示す模式図
【発明を実施するための形態】
【００１９】
以下、図面を参照して本発明の画像データ生成装置の一実施形態を用いた孔版印刷装置について詳細に説明する。本実施形態の孔版印刷装置は画像データの生成方法に特徴を有するものであるが、まずは、その概略構成について説明する。図１は、本実施形態の孔版印刷装置の概略構成図である。
【００２０】
本実施形態の孔版印刷装置１は、図１に示すように、原稿の画像を読み取って画像データを出力する画像読取部１０、画像読取部１０で読み取られた画像データに基づいて孔版原紙Ｍに製版処理を施す第１および第２の製版部３０，３５、第１および第２の製版部３０，３５において製版された孔版原紙Ｍを用いて印刷用紙Ｐ１に印刷を施す第１および第２の印刷部４０，５０、第１の印刷部４０に印刷用紙Ｐ１を給紙する給紙部２０、第１の印刷部４０において片面印刷された印刷用紙Ｐ２を一旦ストックし、その後、所定のタイミングで第２の印刷部５０に給紙する中間ストック部４６と、第２の印刷部５０によって両面印刷された印刷用紙Ｐ３が排出される排紙部７０とを備えている。
【００２１】
画像読取部１０は、原稿の画像情報を光電的に読み取るラインイメージセンサを有し、ラインイメージセンサで原稿を走査することによって原稿を読み取り、画像データを出力するものである。
【００２２】
第１の製版部３０は、複数個の発熱体が一列に配列されてなるサーマルヘッド３１を有し、孔版原紙ロールから繰り出された孔版原紙Ｍに対し、サーマルヘッド３１を用いて製版処理を行うものである。なお、第１の製版部３０は、後述する画像データ生成部６０から出力された処理済画像データに基づいて製版処理を行うものである。
【００２３】
第２の製版部３５も、第１の製版部３５と同様に、サーマルヘッド３６を有し、孔版原紙ロールから繰り出された孔版原紙Ｍに対し、サーマルヘッド３６を用いて製版処理を行うものである。なお、第２の製版部３５は、後述する画像データ生成部６０の画像データ受付部６１から出力された画像データに基づいて製版処理を行うものである。
【００２４】
第１の印刷部４０は、多孔金属板、メッシュ構造体などのインク通過性の円筒状の第１の印刷ドラム４１と、印刷用紙Ｐ１を所定のプレス圧で第１の印刷ドラム４１に圧接させる第１のプレスローラ４２と、第１の印刷ドラム４１から片面印刷済印刷用紙Ｐ２を剥ぎ取る第１の剥取爪４３とを備えている。第１の印刷ドラム４１の外周には第１の製版部３０において穿孔された製版済孔版原紙Ｍが巻き付けられて装着されるようになっている。また、第１のプレスローラ４２は、第１の印刷ドラム４１の円筒の中心軸が延びる方向（図１の紙面厚さ方向）に沿って延設されている。
【００２５】
第２の印刷部５０は、第１の印刷部４０と同様に、円筒状の第２の印刷ドラム５１と、印刷用紙Ｐ２を所定のプレス圧で第２の印刷ドラム５１に圧接させる第２のプレスローラ５２と、第２の印刷ドラム５１から両面印刷済印刷用紙Ｐ３を剥ぎ取る第２の剥取爪５３とを備えている。第２の印刷ドラム５１の外周には第２の製版部３５において穿孔された製版済孔版原紙Ｍが巻き付けられて装着されるようになっている。また、第２のプレスローラ５２は、第２の印刷ドラム５１の円筒の中心軸が延びる方向（図１の紙面厚さ方向）に沿って延設されている。
【００２６】
給紙部２０は、印刷用紙Ｐ１が載置される給紙台２１と、給紙台２１より印刷用紙Ｐ１を一枚ずつ取り出して２次給紙ローラ２３に向けて送り出す１次給紙ローラ２２と、１次給紙ローラ２２の搬送方向下流側に配置され、１次給紙ローラ２２により搬送された印刷用紙Ｐ１の先端を一旦停止させ、所定のタイミングで印刷用紙Ｐ１を第１の印刷ドラム４１と第１のプレスローラ４２との間に送り出す２次給紙ローラ２３とを備えている。
【００２７】
排紙部７０は、両面印刷済印刷用紙Ｐ３を排紙台７１まで搬送する排紙送りベルト部７２と、排紙送りベルト部７２により搬送された両面印刷済印刷用紙Ｐ３が積載される排紙台７１とを備えている。
【００２８】
また、第１の印刷部４０と中間ストック部４６との間には、湾曲搬送部４４が設置されている。湾曲搬送部４４は、図１に示すように、搬送経路に沿った湾曲表面を有するガイド板を備えている。ガイド板の湾曲表面には、第１の印刷部４０から送り出された印刷用紙Ｐ１を吸引する吸引口が設けられた搬送ベルトが設置されている。そして、この搬送ベルトを循環移動させるプーリー４５が設けられている。湾曲搬送部４４は、搬送ベルトの吸引口によって片面印刷済印刷用紙Ｐ２を吸引するとともに、プーリー４５を回転させることによって搬送ベルトにより片面印刷済印刷用紙Ｐ２をガイド板の湾曲表面に沿って搬送するものである。
【００２９】
また、中間ストック部４６と第２の印刷部５０との間には、中間ストック部４６から搬出された片面印刷済印刷用紙Ｐ２をピックアップするピックアップローラ４７と、ピックアップローラ４７によってピックアップされた片面印刷済印刷用紙Ｐ２を順次所定のタイミングで第２の印刷ドラム５１と第２のプレスローラ５２との間に送り出すタイミングローラ４８とを備えている。
【００３０】
ここで、本実施形態におけるピックアップローラ４７とタイミングローラ４８の上面図を図２に示す。図２に示すように、ピックアップローラ４７は一対のローラ４７ａ，４７ｂから構成され、タイミングローラ４８は一対のローラ４８ａ，４８ｂから構成されている。そして、図２には、ピックアップローラ４７およびタイミングローラ４８と片面印刷済印刷用紙Ｐ２とが接触する範囲ＳＲを点線で示している。片面印刷済印刷用紙Ｐ２は、上記範囲ＳＲにおいてピックアップローラ４７およびタイミングローラ４８と接触しながら図中矢印で示す給紙方向に搬送される。
【００３１】
また、本実施形態の孔版印刷装置１は、画像読取部１０から出力された画像データに対して、所定の濃度変換処理を施して第１および第２の製版部３０，３５にそれぞれ出力する画像データ生成部６０を備えている。
【００３２】
画像データ生成部６０は、具体的には、図３に示すように、画像読取部１０から出力された画像データの入力を受け付ける画像データ受付部６１と、画像データ受付部６１により受け付けられた画像データをその画像データの属性に基づいて、複数の領域に分割する領域分割部６２と、ピックアップローラ４７およびタイミングローラ４８と片面印刷済印刷用紙Ｐ２とが接触する範囲ＳＲに対応する画像データ上の範囲を示す特定範囲の情報を受け付ける特定範囲情報受付部６３と、領域分割部６２により分割された領域の中から上記特定範囲と重なる範囲を含む分割領域を取得する特定分割領域取得部６４と、特定分割領域取得部６４により取得された分割領域単位でその分割領域内の画像データに対し、濃度が低くなるような濃度変換処理を施して処理済画像データを生成する濃度変換処理部６５と、濃度変換処理部６５により生成された処理済画像データに２値化処理を施して第１の製版部３０に出力するとともに、画像データ受付部６１から出力された画像データに２値化処理を施して第２の製版部３５に出力する２値化処理部６６とを備えている。なお、上記各部の作用については、後で詳述する。
【００３３】
次に、本実施形態の孔版印刷装置１の作用について説明する。最初に、画像データ生成部６０の作用について、図３に示すフローチャートを参照しながら説明する。
【００３４】
まず、画像読取部１０の原稿台に表面の原稿が設置され、押圧板により押圧された状態でラインイメージセンサによりスキャンされて表面の画像データが読み取られる（Ｓ１０）。そして、表面の画像を表す多値画像データがライン毎に順次取得され、画像読取部１０から画像データ生成部６０の画像データ受付部６１に受け付けられる。
【００３５】
画像データ受付部６１は、表面の画像を表す多値画像データを領域分割部６２に出力する。そして、領域分割部６２は、入力された多値画像データに基づいて、写真の属性である多値画像データであるか文字の属性である多値画像データであるかを解析することによって写真領域や文字領域を検出し、多値画像データを写真領域や文字領域などの複数の領域に分割する（Ｓ１２）。そして、その複数の領域に分割された多値画像データを特定分割領域取得部６４に出力する。なお、写真領域や文字領域は、たとえば、エッジなどの画像特徴量を検出して解析することによって検出することができ、種々の公知の技術を利用して検出することが可能である。
【００３６】
一方、特定範囲情報受付部６３によってピックアップローラ４７およびタイミングローラ４８と片面印刷済印刷用紙Ｐ２とが接触する範囲ＳＲに対応する画像データ上の範囲を示す特定範囲の情報が受け付けられる（Ｓ１４）。上記特定範囲の情報は、ピックアップローラ４７およびタイミングローラ４８と片面印刷済印刷用紙Ｐ２とが接触する範囲ＳＲを、画像読取部１０によって読み取られた多値画像データの座標系に投影したものである。上記特定範囲の情報は、メモリなどの記憶部（図示省略）に予め設定しておいてもよいし、操作者が入力設定するようにしてもよい。そして、特定範囲情報受付部６３によって受け付けられた特定範囲の情報も特定分割領域取得部６４に出力される。
【００３７】
次に、特定分割領域取得部６４において、図５に示すように、領域分割された表面の多値画像データＧ１と特定範囲ＴＲとが重ね合わされる。そして、多値画像データＧ１において分割された写真領域Ｐ１，Ｐ２および文字領域Ｌ１，Ｌ２の中から特定範囲ＴＲと重なる範囲を含む領域が取得される。すなわち、図５に示す多値画像データＧ１の場合、写真領域Ｐ１と文字領域Ｌ２とが特定分割領域として取得される（Ｓ１６）。そして、その特定分割領域の情報と領域分割された多値画像データＧ１とが特定分割領域取得部６４から濃度変換処理部６５に出力される。
【００３８】
濃度変換処理部６５は、入力された多値画像データＧ１のうちの特定分割領域内の多値画像データ全体に対し、濃度が低くなるような濃度変換処理を施して処理済画像データを生成する。なお、特定分割領域以外の多値画像データに対しては、濃度変換処理は施されない。
【００３９】
そして、濃度変換処理部６５において生成された処理済画像データは２値化処理部６６に出力され、２値化処理部６６において２値化処理が施された後、第１の製版部３０に出力される（Ｓ２０）。なお、２値化処理としては、単純２値化処理、誤差拡散法、網点２値化法などの公知の２値化処理を用いることができる。
【００４０】
そして、第１の製版部３０は、入力された処理済画像データに基づいてサーマルヘッド３１を用いて孔版原紙Ｍに対して穿孔を施して製版処理を行う（Ｓ２２）。
【００４１】
そして、第１の製版部３０において製版処理の施された版は、第１の印刷ドラム４１に巻着される。
【００４２】
次に、画像読取部１０の原稿台に裏面の原稿が設置され、表面の原稿と同様に、ラインイメージセンサによりスキャンされて裏面の画像データが読み取られる（Ｓ２４）。そして、裏面の画像を表す多値画像データＧ２が取得され、画像読取部１０から画像データ生成部６０の画像データ受付部６１に受け付けられる。
【００４３】
そして、裏面の多値画像データＧ２については、表面の画像データのような濃度変換処理は施されることなく、画像データ受付部６１から２値化処理部６６に直接出力され、２値化処理部６６において２値化処理が施される（Ｓ２６）。
【００４４】
そして、２値化処理部６６において２値化処理が施された裏面の２値画像データは、第２の製版部３５に出力され、第２の製版部３５は、入力された裏面の２値画像データに基づいてサーマルヘッド３６を用いて孔版原紙Ｍに対して穿孔を施して製版処理を行う（Ｓ２８）。
【００４５】
そして、第２の製版部３５において製版処理の施された版は、第２の印刷ドラム５１に巻着される。
【００４６】
上記のようにして第１の印刷ドラム４１と第２の印刷ドラム５１とにそれぞれ版が巻着された後、両面印刷処理が行われる（Ｓ３０）。
【００４７】
具体的には、インク供給ポンプ（図示省略）により第１および第２の印刷ドラム４１，５１の内側にインクが供給され、第１および第２の印刷ドラム４１，５１が回転駆動される。そして、第１および第２の印刷ドラム４１，５１の回転に同期して所定のタイミングにて印刷用紙Ｐ１が１次給紙ローラ２２によって給紙台２１から繰り出され、一旦２次給紙ローラ２３に当接してたるみを形成した後、所定のタイミングで２次給紙ローラ２３により図１における左から右へ搬送され、第１の印刷ドラム４１と第１のプレスローラ４２との間に供給される。そして、第１の印刷ドラム４１の外周面に巻き付けられている製版済孔版原紙Ｍに対し、印刷用紙Ｐ１が第１のプレスローラ４２によって圧接されることにより印刷用紙Ｐ１に対して表面の孔版印刷が行われる。
【００４８】
そして、第１の印刷ドラム４１が所定の角度だけ回転して印刷用紙Ｐ１への片面の孔版印刷が終了すると、その片面印刷済印刷用紙Ｐ２は剥取爪４３により第１の印刷ドラム４１から剥ぎ取られ、その剥ぎ取られた片面印刷済印刷用紙Ｐ２は、湾曲搬送部４４によって中間ストック部４６に搬送される。
【００４９】
片面印刷済印刷用紙Ｐ２は、中間ストック部４６に一旦ストックされた後、印刷面が下側に向けられた状態（印刷されていない面が上側）で中間ストック部４６から排出され、ピックアップローラ４７によってピックアップされ、一旦タイミングローラ４８に当接してたるみを形成した後、所定のタイミングでタイミングローラ４８によって第２の印刷ドラム５１と第２のプレスローラ５２との間に供給される。
【００５０】
そして、第２の印刷ドラム５１の外周面に巻き付けられている製版済孔版原紙Ｍに対し、片面印刷済印刷用紙Ｐ２の未印刷面が第２のプレスローラ５２によって圧接されることにより片面印刷済印刷用紙Ｐ２の未印刷面に対して裏面の孔版印刷が行われる。
【００５１】
そして、第２の印刷ドラム５１が所定の角度だけ回転して片面印刷済印刷用紙Ｐ２の未印刷面への裏面の孔版印刷が終了すると、その両面印刷済印刷用紙Ｐ３は剥取爪５３により第２の印刷ドラム５１から剥ぎ取られ、その剥ぎ取られた両面印刷済印刷用紙Ｐ３は、排紙送りベルト部７２により排紙台７１まで搬送され、排紙台７１に積載される。
【００５２】
そして、再び給紙台２１から印刷用紙Ｐ１が繰り出され、上記と同様にして印刷用紙Ｐ１に対して両面孔版印刷が行われる。
【００５３】
なお、上記実施形態においては、画像読取部１０によって読み取られた画像データに基づいて両面孔版印刷を行うようにしたが、これに限らず、コンピュータにおいて所定のアプリケーションによって作成、編集された画像データを画像データ受付部６１によって受け付けて両面孔版印刷を行うようにしてもよい。この場合、コンピュータのアプリケーションによって作成された画像データには、その画像データが写真の属性のものであるか文字の属性のものであるかを示すオブジェクト属性データが付加されている。したがって、領域分割部６２においては、オブジェクト属性データに基づいて、オブジェクト単位で領域分割するようにすればよい。また、コンピュータに画像データ生成部６０を設けるようにしてもよい。
【００５４】
また、上記実施形態は、画像データ生成部を孔版印刷装置に設けたものであるが、画像データ生成部を設ける装置はこれに限らず、たとえば、孔版印刷装置にプリンタジョブなどの制御信号を出力するプリンタコントローラに設けるようにしてもよい。
【００５５】
また、上記実施形態の孔版印刷装置は、両面印刷を行う２つの印刷ドラムを備えたものであるが、これに限らず、本発明の画像データ生成装置は、１つの印刷ドラムを装着可能な孔版印刷装置であって、印刷ドラムを交換するとともに、片面印刷済印刷用紙を給紙部に再装填することによって両面印刷可能な孔版印刷装置にも適用することができる。
【００５６】
また、本発明の画像データ生成装置は、孔版印刷装置に限らず、両面印刷可能なインクジェット印刷装置にも適用することができる。
【符号の説明】
【００５７】
１     孔版印刷装置
１０   画像読取部
２０   給紙部
３０   第１の製版部
３１   サーマルヘッド
３５   第２の製版部
３６   サーマルヘッド
４０   第１の印刷部
４１   第１の印刷ドラム
４２   第１のプレスローラ
４６   中間ストック部
４７   ピックアップローラ
４８   タイミングローラ
５０   第２の印刷部
５１   第２の印刷ドラム
５２   第２のプレスローラ
６０   画像データ生成部
６１   画像データ受付部
６２   領域分割部
６３   特定範囲情報受付部
６４   特定分割領域取得部
６５   濃度変換処理部
６６   ２値化処理部
７０   排紙部
【図１】
2011035694.tif 000003
【図２】
2011035694.tif 000004
【図３】
2011035694.tif 000005
【図４】
2011035694.tif 000006
【図５】
2011035694.tif 000007